(57)【要約】【課題】  骨伝導受話器等で振動出力を得るために圧電振動子に出力伝達片を接続して外部に出力させるが、リジッドなセラミック板に出力伝達片を直接接触させると、出力伝達片の質量や外部から加わる圧力でセラミック板に亀裂が発生しやすい。【解決手段】  表層のセラミック板の一部に切り欠け部を設け、継続的な荷重負荷に対し耐久性の高い内層の金属板に、出力伝達片の接触個所を変更することによって、圧電振動子の耐久寿命を延ばす。【選択図】  図１
2007049658.tif 000002
【特許請求の範囲】
【請求項１】
セラミック板と金属板を含む圧電振動子に出力伝達片を接触または固定接着させて人体への振動出力を発生させる骨伝導型受話器において、該圧電振動子表層の中央部に前記セラミック板の無い振動伝達エリアを設け、前記振動伝達エリアの金属板部分に出力伝達片を直接接触または固定接着させることを特徴とする圧電振動子を用いた骨伝導型受話器。
【発明の詳細な説明】
【技術分野】
【０００１】  本発明は、骨伝導型受話器を構成する圧電振動子の耐久性を向上させ、その寿命を延ばすための出力伝達方法に関する。
【背景技術】
【０００２】  通常の骨伝導型受話器は、その振動生成源である圧電振動子表面のセラミック板に直接振動を外部に伝達するための出力伝達片を接触または接着固定させている。しかし、出力伝達片をセラミック板に直接接触させたり、接着固定させた場合、柔軟性のないセラミック板に出力伝達片の質量や外圧が加わることとなり、圧電振動子の加速度振動と印加される外圧が増えるに従って、荷重負荷の集中によって前記セラミック板に亀裂や破断が生じ易くなり、その場合、本来の性能や機能を発揮できなくなる。【０００３】  図５は、従来の骨伝導受話器に係わる圧電振動子と出力伝達片の接続構成を示す図であり、下層金属板１４に焼成されたセラミック板１３に出力伝達片１２を直接接触または接着固定したものである。【０００４】  図６は、図５の構成において、受話器１０から振動出力を発生させるため表層セラミック板１３と下層金属板１４間に電圧パルスを印加した状態を示す。このとき表層セラミック板１３は１９の方向へ伸張し、焼結された下層金属板１４が７の方向へ湾曲する。【０００５】  従来の受話器１０では継続的な荷重負荷に対する耐力の低い表層セラミック板１３に、表層セラミック板にかかる抗力６（出力伝達片１２の質量成分＋外部接触部９から受ける荷重成分の合成荷重）と下層金属板の加速度振動に比例した出力７（下層金属板１４の湾曲により発生する加速度振動に比例した出力）が直接作用し、表層セラミック板１３に荷重負荷を加え、亀裂や破断の不都合を生じさせ耐久寿命を短縮させる。【０００６】  この改善策として、振動子を覆う構造物に工夫を加え、耐久性を向上させ、その寿命を延ばす策もある。（例えば、実用新案文献１参照）。しかしながら前記策は、振動部が収納ケース等の筐体へ直接接触することを防ぐことにより機械的耐力を向上させるものであり、振動子そのものの加速度振動に比例した出力に対する耐久性を向上させる事はできないという欠点がある。
【実用新案文献１】
実用登録第１５９２１２７号公報
【発明の開示】
【発明が解決しようとする課題】
【０００７】  本発明は、出力伝達片との接触または接着固定に伴う、圧電振動子表層セラミック板の亀裂や破断の発生を抑制し、圧電振動子の耐久性を向上させ、骨伝導型受話器としての寿命を延ばすことにある。
【課題を解決するための手段】
【０００８】  上記課題を解決するために、本発明は、圧電振動子表層の中央部に、柔軟性に欠けるセラミック板の無い振動伝達エリアを設け、前記振動伝達エリアの金属板部分に出力伝達片を直接接触または固定接着させることを最も主要な特徴とする。
【発明の効果】
【０００９】  本発明によれば、セラミック板が出力伝達片と金属板に挟まれ荷重負荷が加えられる事により誘因される亀裂や破断の発生を防ぎ、さらにセラミック板よりも金属片の方が荷重負荷に対する耐力が高いことを利用し、この素材自身が有する耐力の差異によって圧電振動子の耐久性を向上させ、その寿命を延ばすことができる。【００１０】  なお、セラミック板の無い振動伝達エリアの面積が、圧電振動子表層全体の面積に比べて充分小さくなるよう設計することにより、圧電振動子の振動特性の劣化を、実用上問題の無い程度に抑制可能である。【００１１】  従って、本発明の構造を採用することで、耐久寿命や信頼性を向上させながら、必要とする振動特性を保持することが可能である。
【発明を実施するための最良の形態】
【００１２】  以下、図を用いて本発明の実施例について説明する。【００１３】  図１は本発明の実施例の圧電振動子と出力伝達片を用いた骨伝導受話器の断面図である。図１において、受話器ケース１内に表層セラミック板３と下層金属板４によって圧電振動子が形成され、その圧電振動子表層セラミック板３の一部に、セラミック板の無い振動伝達エリアとして切り欠け部５を設ける。この切り欠け部に出力伝達片２を直接接触または接着固定することで、表層セラミック板３に比べて継続的な荷重負荷に対する耐力の高い金属板４で出力伝達片２を支持させ振動出力を得ることが可能となる。【００１４】  図２は図１において、表層セラミック３と下層金属板４に電圧が印可され、表層セラミック３の伸張１９により下層金属板４が湾曲し、出力伝達片２が押し上げられた瞬間の状態を示す断面図である。【００１５】  さらに、切り欠け部５の面積を最小限にすることで、表層セラミック板３の面積を確保し圧電振動板の振動振幅の減少を最小限にとどめる。【００１６】  図３は図１において、円形の圧電振動子の中心部に設けられた切り欠け部５と出力伝達片２の位置関係の一実施例を示す図であり、該圧電振動子を構成するセラミック板３や金属板４の形状や切り欠け部５の位置や形状を特定するものではない。【００１７】  図４は、本発明に係わる受話器を採用した骨伝導ハンドセットの全体構成を示す図であり、通常の送話器１６と本発明に係わる受話器１７それらを支持するケース１８から構成されている。受話器１７は図１の受話器ケース１をハンドセットへ組み込む為に一部構造を変更した物である。【００１８】  なお、図４においては、通常の電話機のハンドセットに本発明を適用しているが、本発明はこれに限定されない。すなわち、本発明は、ハンドセットのみでなく、携帯電話機や補聴器等、耳の不自由な人向けに、人骨への振動伝達機能を必要とする装置一般に適用可能である。
【図面の簡単な説明】
【００１９】
【図１】本発明の実施例の圧電振動子と出力伝達片を用いた骨伝導受話器の断面図
【図２】図１に電圧パルスを示す断面図
【図３】本発明の実施例の圧電振動子と出力伝達片の位置を示す図
【図４】本発明を用いた骨伝導ハンドセットの構成例を示す図
【図５】従来の圧電振動子と出力伝達片を用いた骨伝導受話器の断面図
【図６】従来の圧電振動子と出力伝達片よるセラミック板への作用を示す図
【符号の説明】
【００２０】  １  受話器ケース
２  出力伝達片
３  本発明による表層セラミック板
４  下層金属板
５  本発明によるセラミック板の切り欠け部
６  表層セラミック板にかかる抗力
７  下層金属板の加速度振動に比例した出力
８  外部接触部
９  従来の外部接触部
１０  従来の受話器
１１  従来の受話器ケース
１２  従来の出力伝達片
１３  従来の表層セラミック板
１４  従来の下層金属板
１５  従来の切り欠け部
１６  送話器
１７  受話器
１８  ハンドセットケース
１９  表層セラミックの伸張方向
【図１】
2007049658.tif 000003
【図２】
2007049658.tif 000004
【図３】
2007049658.tif 000005
【図４】
2007049658.tif 000006
【図５】
2007049658.tif 000007
【図６】
2007049658.tif 000008